(57)【特許請求の範囲】
【請求項１】
ハンドル操作，ないしは過負荷電流引外し装置の出力に連動動作して主回路接点を開閉する開閉機構部が上下揺動式のシーソー形開閉レバーを備え、かつしゃ断器の本体ケースに形成した付属装置収納部に前記開閉レバーの動きに従動して主回路接点のＯＮ，ＯＦＦ状態を電気信号として検出するカセット式の付属スイッチを装着した回路しゃ断器であり、前記付属スイッチが上下動式の操作レバーを備え、付属スイッチを本体ケースの付属装置収納部に装着した状態で前記操作レバーを開閉レバーの先端に対峙させたものにおいて、前記操作レバーに連動フックを付設し、該連動フックを付属スイッチの装着位置で開閉レバーの先端に通して連繋させたことを特徴とする回路しゃ断器。
【請求項２】
請求項１記載の回路しゃ断器において、連動フックが吊り輪状になり、しゃ断器の本体ケースに形成した付属スイッチ収納部の底部には付属スイッチの装着位置で前記連動フックを開閉レバーとの係合位置に誘導するフックガイドを設けたことを特徴とする回路しゃ断器。
【発明の詳細な説明】
【０００１】
【発明の属する技術分野】
本発明は、低圧配電設備の過電流保護に適用するオートブレーカなどを対象に、その付属装置として主回路接点のＯＮ，ＯＦＦ状態を電気信号として検出する補助スイッチを装備した回路しゃ断器に関する。
【０００２】
【従来の技術】
まず、しゃ断器の本体ケースに内装付属スイッチを装備したオートブレーカを対象に、本発明と同一出願人より先に特願２０００−１１０３５９号として提案した回路しゃ断器の構成を図４に示す。図において、１はしゃ断器の本体ケース、２は該ケース１に組み込んだ主回路のしゃ断部、３はトグルリンク式の開閉機構部、４は過負荷電流引外し装置、５は操作ハンドル、６は詳細を後記する開閉レバー、７は内装付属装置（オプション品）として本体ケース１に装着したカセット式の付属スイッチ（主回路接点のＯＮ／ＯＦＦ状態を電気信号として検出する補助スイッチ）、８は別な付属スイッチ（警報出力板に応動してしゃ断器のトリップ動作を検出する警報スイッチ）である。
【０００３】
ここで、前記の開閉機構部３は、操作ハンドル５のＯＮ／ＯＦＦ操作，もしくは過負荷電流引外し装置４の出力に応動するトグルリンク機構，および該トグルリンク機構に連動して主回路接点を開閉する開閉レバー６を備えている。また、開閉レバー６は、図５で示すように支軸６ｂを支点に上下方向に揺動するシーソー形のレバーになり、その操作端６ａを図７で示すように主回路接点しゃ断部２の可動接触子２ａを支持した接触子ホルダ２ｂの頂部に対峙させ、ＯＦＦ動作時には付勢ばねのばね力で開閉レバー６を時計方向に駆動し、可動接触子ホルダを叩いて主回路接点を開極させる。逆にＯＮ操作時には開閉レバー６が反時計方向に揺動して可動接触子ホルダ２ｂの上方に後退し、この動きに従動して主回路接点が閉成する。また、開閉レバー６の他端側の先端部６ｃ（図５参照）は本体ケース１に装着した付属スイッチ７の開閉アクチュエータとして機能する。
【０００４】
前記の構成で、操作ハンドル５を手動でＯＮ／ＯＦＦ位置に操作すると、開閉機構部３の開閉レバー６が揺動動作してしゃ断部２の主回路接点が開閉動作する。また、主回路に過負荷電流が流れた場合には、引外し装置４の出力信号により開閉機構部３がトリップ動作して主回路接点を開極させることは周知の通りである。
【０００５】
一方、前記した付属スイッチ７は、図６で示すようにケース７ａ内に固定接点７ｂ，橋絡形の可動接点７ｃ，可動接触子ホルダ（上下動式のスライダ）７ｄ，および可動接点７ｃを開離位置に付勢する復帰ばね７ｄを組み込み、さらに前記の可動接触子ホルダ７ｄに連結してケース７ａの前面に露呈させたアーム状の操作レバー７ｆとからなるばね復帰形のリミットスイッチとしてなる。この付属スイッチ７は図３で示すように本体ケース１の上面側に画成した付属装置収納部へカセット式に装着し、この装着位置で前記した操作レバー７ｆが図５で表すようにしゃ断器本体側の開閉レバー６の先端部６ｃに対峙する。
【０００６】
前記の付属スイッチ７は次のように動作する。すなわち、しゃ断器の主回路接点を閉極させたＯＮ状態では、図７で表すように反時計方向に揺動した開閉レバー６の先端部６ｃが下降し、これにより付属スイッチ７の可動接触子ホルダ７ｄが復帰ばね７ｅのばね力により押し下げられて可動接触子７ｃが固定接触子７ｂから開離（スイッチ接点ＯＦＦ）し、このスイッチのＯＦＦ信号でしゃ断器の主回路接点がＯＮ状態であることを検出する。一方、ハンドル操作，あるいは引外し装置によりトリップ動作して主回路接点が開極したしゃ断器ＯＦＦでは、時計方向に揺動した開閉レバー６の先端部６ｃが付属スイッチ７の操作レバー７ｆを復帰ばね７ｅに抗して上方に突き上げ、可動接点７ｃ／固定接点７ｂを閉成して外部に主回路接点ＯＦＦの信号を出力する。なお、図示例の付属スイッチ７は、しゃ断器の主回路接点の開極，閉成に合わせてＯＮ，ＯＦＦ動作するようにしているが、これとは逆に主回路接点の閉成時にスイッチがＯＮ、開極時にＯＦＦ動作するような付属スイッチを用いることもある。
【０００７】
【発明が解決しようとする課題】
ところで、前記のように付属スイッチ７としてばね復帰形スイッチを用い、その操作レバー７ｆをしゃ断器本体の開閉レバー６の先端部６ｃに対峙させて開閉させるようにした構成では、付属スイッチの内蔵接点が溶着する異常が発生した場合に次に記すような検出誤認のトラブルを引き起こすおそれがある。
【０００８】
すなわち、付属スイッチ７はその動作に異常がなければ、図７で述べたようにしゃ断器本体の開閉レバー６の揺動動作に付属スイッチ７が応動して回路しゃ断器のＯＮ／ＯＦＦ状態を正しく検出する。しかしながら、付属スイッチ７の内蔵接点が通電中に万が一溶着した場合には、回路しゃ断器のトリップ動作後に主回路接点を再投入した際に、開閉レバー６が反時計方向に揺動して付属スイッチ７の操作レバー７ｆから離脱して下方に後退しても、付属スイッチ７は接点溶着したままでＯＦＦ動作しない。なお、図６(c) に示した復帰ばね７ｅのばね力では溶着した接点を引き離すことはできない。このために、実際には回路しゃ断器がＯＮ状態であるにもかかわらず、付属スイッチ７からはしゃ断器の主回路接点がＯＦＦ状態である信号を出力し続けるので、保守員は回路しゃ断器がＯＦＦと誤認し、これが基で負荷側の回路に触れた際に不測の感電事故を引き起こすおそれがある。
【０００９】
本発明は上記の点に鑑みなされたものであり、前記のように回路しゃ断器に装着した付属スイッチの内蔵接点が使用中に万一溶着した場合でも、しゃ断器本体の開閉レバーの揺動動作力を利用して溶着した付属スイッチの接点を強制的に引き離して主回路接点のＯＮ／ＯＦＦ状態を正しく検出できるように改良した回路しゃ断器を提供することを目的とする。
【００１０】
【課題を解決するための手段】
上記目的を達成するために、本発明によれば、ハンドル操作，ないしは過負荷電流引外し装置の出力に連動動作して主回路接点を開閉する開閉機構部が上下揺動式のシーソー形開閉レバーを備え、かつしゃ断器の本体ケースに形成した付属装置収納部に前記開閉レバーの動きに従動して主回路接点のＯＮ，ＯＦＦ状態を電気信号として検出するカセット式の付属スイッチを装着した回路しゃ断器であり、前記付属スイッチが上下動式の操作レバーを備え、付属スイッチを本体ケースの付属装置収納部に装着した状態で前記操作レバーを開閉レバーの先端に対峙連繋させたものにおいて、
前記操作レバーに連動フックを取付けた上で、該連動フックを付属スイッチの装着位置でしゃ断器本体の開閉レバーの先端に通して係合させ、開閉レバーが付属スイッチの操作レバーから離れる方向の動きを、連動フックを介して操作レバーに伝達させて付属スイッチをこの方向に強制動作させるように構成する（請求項１）。
【００１１】
また、前記構成の付属スイッチをしゃ断器本体ケースの付属装置収納部に装着した際に、付属スイッチの連動フックを開閉レバーとの係合位置に正しく位置決めさせるために、連動フックを吊り輪状とし、かつしゃ断器の本体ケースに形成した付属スイッチ収納部の底部には付属スイッチの装着位置でその連動フックを開閉レバーとの係合位置に誘導するフックガイドを設けるものとする。
【００１２】
上記構成によれば、付属スイッチの内蔵接点が使用中に万一溶着して自力では開極できない異常状態が生じた場合でも、回路しゃ断器の投入操作に伴う開閉レバーの揺動動作力で付属スイッチの接点を強制的に引き離して接点溶着を修復することができ、これにより付属スイッチの誤検出を防いで信頼性が向上する。
【００１３】
【発明の実施の形態】
以下、本発明の実施の形態を図１〜図３に示す実施例に基づいて説明する。なお、実施例の図中で図４〜図７に対応する部材には同じ符号を付してその詳細な説明は省略する。
すなわち、図示実施例においては、従来構造と比べて付属スイッチ７の操作レバー７ｆに吊り輪状の連動フック７ｇが追加して付設されている。また、しゃ断器の本体ケース１に形成した付属装置収納部の底部には前記の連動フック７ｇを所定位置に誘導するフックガイド９が形成されている。
【００１４】
ここで、連動フック７ｇは図２で示すようにばね性を有する金属線を略Ｕ字形に成形したものであり、左右両辺を多少内側に撓ませた状態でその両端を内側に折曲げて形成した支軸部を付属スイッチ２の操作レバー２ｆの左右端面に穿孔した軸穴に嵌合して垂下姿勢に懸架されている。また、図２(d) で示すように、操作レバー７ｆの左右端面には前記軸穴の前部側に膨出したテーパー状の段差部７ｆ-1を形成し、連動フック７ｇをフリーな状態で垂下姿勢に保持するようにしている。
【００１５】
一方、しゃ断器の本体ケース１に形成した付属装置収納部には、図１，および図３で示すように底面上に起立する傾斜カム状のフックガイド９がケース１と一体に成形されている。このフックガイド９は、付属スイッチ７を本体ケース１の付属装置収納部にカセット式に差込みセットした際に連動フック７ｇの先端をカム面に沿って傾斜姿勢に誘導し、フック７ｇを開閉レバー６の先端部６ｃに掛ける役目を果たすものであり、図３で示すように付属スイッチ７を本体ケース１に装着した状態で、開閉レバー６と競合しないように位置をずらして形成されている。
【００１６】
かかる構成で、図１(a) で示すようにしゃ断器ＯＦＦ（開閉レバー６の先端部６ｃは上昇している）の状態で、ケース１の上方から付属スイッチ７を付属装置収納部に挿入すると、垂下姿勢に保持されている連動フック７ｇは開閉レバー６の先端部６ｃに突き当たることなくその先端側（図面の左側）をすり抜けた後、フックの先端が底面側に形成したフックガイド９に当たる。この位置からさらに付属スイッチ７を押し込むと、連動フック７ｇはフックガイド９ののカム斜面に沿って図示実線の垂下姿勢から鎖線で表す傾斜姿勢に変わる。そして、図１(b) ，図３で示す装着位置では連動フック７ｇの下端がフックガイド９の先端垂直面に達し、開閉レバー６の先端部６ｃより内側に入り込んでこの位置に停止する。同時に操作レバー７ｆは開閉レバー６の先端部６ｃに突き当たって押し上げられ、これにより付属スイッチ７は内蔵接点が閉極してしゃ断器ＯＦＦの状態を検出する。
【００１７】
一方、前記の状態からハンドルの投入操作により回路しゃ断器の主回路接点を閉極させると、図１(c) で示すように開閉レバー６が反時計方向に揺動し、その途上でレバーの先端部６ｃが連動フック７ｇに引っ掛かってこれを引下げるとともに、連動フック６ｃと繋がった操作レバー７ｆが強制的に引下げられて付属スイッチ７の内蔵接点を開極する。これにより、付属スイッチ７から回路しゃ断器ＯＮの検出信号が出力される。
【００１８】
この場合に、付属スイッチ７の内蔵接点が通電中に溶着し、このために復帰ばね７ｅのばね力では付属スイッチが自力で開極できない異常状態が発生していても、回路しゃ断器の投入操作により開閉レバー６が連動フック７ｇを引き下げるので付属スイッチ７の内蔵接点が強制的に引き離されて開極する。これにより、回路しゃ断器のＯＮ状態を正しく検出できる。
【００１９】
また、図１(c) の状態からしゃ断器のトリップ動作，あるいはハンドルのＯＦＦ操作で主回路接点を開極させると、図１(b) のように開閉レバー６が時計方向に反転して付属スイッチ７の操作レバー７ｆを突き上げ、これに応動して付属スイッチ７が反転動作する。なお、この場合に、しゃ断器の主回路接点が溶着している、あるいは開閉機構部３の故障などで開閉レバーが図１(b) の位置まで戻らない異常動作が生じ、このために回路しゃ断器をＯＦＦ操作してもその主回路接点が開極しない場合には、開閉レバー６の先端部６ｃが付属スイッチ７の操作レバー７ｆを押さないので、付属スイッチ７が反転動作して誤った信号を出力することがないので安全である。
【００２０】
【発明の効果】
以上述べたように、本発明によれば、回路しゃ断器の本体ケースに装着した付属スイッチを、しゃ断器本体の開閉機構部に備えた開閉レバーで開閉するようにし、ここで付属スイッチが上下動式の操作レバーを備え、付属スイッチを本体ケースの付属装置収納部に装着した状態で前記操作レバーを開閉レバーの先端に対峙させたものにおいて、前記操作レバーに吊り輪状の連動フックを付設し、該連動フックを付属スイッチの装着位置で開閉レバーの先端に通して連繋させるようにし、またしゃ断器の本体ケースに形成した付属スイッチ収納部の底部には付属スイッチの装着位置で連動フックを開閉レバーとの係合位置に誘導するフックガイドを設けたことにより、付属スイッチをしゃ断器の本体ケースに装着した状態で連動フックを開閉レバーと係合する位置に正しくセットできるとともに、付属スイッチの内蔵接点が使用中に万一溶着して自力では開極できない異常状態が生じた場合でも、回路しゃ断器の投入操作に伴う開閉レバーの揺動動作力で付属スイッチの接点を強制的に引き離し正常な状態に戻すことができ、これにより付属スイッチの誤検出を防いで信頼性の向上化が図れる。
【図面の簡単な説明】
【図１】本発明の実施例による回路しゃ断器の開閉レバーと付属スイッチとの連繋を表す図であり、(a) は付属スイッチを本体ケースに装着する際の状態を表す図、(b),(c) はそれぞれ回路しゃ断器のＯＮ，ＯＦＦ操作時の状態を表す図
【図２】図１における付属スイッチの構成図であり、(a) は正面図、(b) は一部断面の側面図、(c) は内部機構図、(d) は操作レバーの部分拡大斜視図
【図３】図１(b) に対応した付属スイッチ装着状態の下面図
【図４】本発明の実施対象となる回路しゃ断器の構成概要図であり、(a) は側面図、(b) は平面図
【図５】図４における開閉レバーの斜視外形図
【図６】図４の回路しゃ断器に装着した付属スイッチの従来構成図であり、(a) は正面図、(b) は一部断面の側面図、(c) は内部機構図
【図７】図６の付属スイッチと回路しゃ断器の開閉レバーとの連繋動作を表す図
【符号の説明】
１    回路しゃ断器のケース
２    主回路接点のしゃ断部
３    開閉機構部
４    過負荷電流引外し装置
５    操作ハンドル
６    開閉レバー
６ｃ  先端部
７    付属スイッチ
７ａ  ケース
７ｂ  固定接点
７ｃ  可動接点
７ｅ  復帰ばね
７ｆ  操作レバー
７ｇ  連動フック
９    フックガイド
【図１】
0004126866.tif 000002
【図２】
0004126866.tif 000003
【図３】
0004126866.tif 000004
【図４】
0004126866.tif 000005
【図５】
0004126866.tif 000006
【図６】
0004126866.tif 000007
【図７】
0004126866.tif 000008